(57)【要約】【課題】高い座屈強度を有し容器に加わる垂直荷重による容器の変形の発生を防止し、且つ座屈が発生しても柔軟性を保持する合成樹脂製壜体を提供する。【解決手段】合成樹脂性壜体は、口栓部と筒状の胴体を備え、胴体にはパネル部を有する。パネル部間の胴体部分に縦方向にはしる凸状または凹状の補強リブが設けられている。この補強リブはその一部が消失して不連続に形成されており、隣り合う胴体部分に設けられた補強リブの消失部は縦方向に対し異なる高さのところに位置している。【選択図】  図１
2005008155.tif 000002
【特許請求の範囲】
【請求項１】
口栓部と筒状の胴体を備え、胴体にはパネル部を有する合成樹脂製壜体において、パネル部間の胴体部分に縦方向にはしる凸状または凹状の補強リブを有し、該補強リブはその一部が消失して不連続に形成されており、隣り合う胴体部分に設けられた補強リブの消失部は縦方向に対し異なる高さのところに位置していることを特徴とする合成樹脂製壜体。
【請求項２】
消失部の長さは補強リブと消失部を合わせた長さの１／１０〜１／３であることを特徴とする請求項１に記載の合成樹脂製壜体。
【発明の詳細な説明】
【０００１】
【発明の属する技術分野】
本発明は合成樹脂製壜体に関する。
【０００２】
【従来の技術】
現在、環境問題等を配慮して、容器重量を減少する傾向があり、そのため必然的に容器の肉圧が薄くなり、容器の強度が弱くなっている。
【０００３】
また、一般に、円筒状の合成樹脂製壜体は、垂直荷重が加えられたときに、容易に座屈が発生する。特に壜体に付与されたパネル間の柱部において変形が発生し、座屈に至るケースが多い。このため、容器内への内容物の充填、容器の搬送等のハンドリング時や、容器を段ボールに詰めたものを保管のために段積みする過程、輸送過程、更に商品陳列の際の取り扱い時に容器に外力が加わることにより容器が変形し商品価値の低下を招くことがある。
【０００４】
そのため、容器の変形を防止するために、柱部に凸状または凹状の補強リブを設けることが行われている。
【０００５】
補強リブにより容器に剛性を付与することに関して、例えば特許文献１には、複数のパネル部によって形成され横断面形状が正多角形の胴部を有する合成樹脂製二軸延伸成形壜体において、前記複数のパネル壁間である端面壁に縦方向のリブ溝を形成してなる包装用壜が記載されている。
【０００６】
また特許文献２には平面壁部間の面取り部に補強縦溝を設けることが記載されている。
【０００７】
【特許文献１】
実解昭６３−９７６０７号公報
【特許文献２】
登録実用新案第３０５０５８７号公報
【０００８】
【発明が解決しようとする課題】
しかし、パネル間あるいは平面壁間に補強リブまたは補強縦溝を設けることにより座屈強度は上昇する反面、壜体に負荷される垂直荷重に対する壜体の柔軟性が失われ一旦座屈に至ると、壜体が永久変形し、元の形状に戻らなくなるという問題が発生する。
【０００９】
本発明の目的は、高い座屈強度を有し容器に加わる垂直荷重による容器の変形の発生を防止し、且つ座屈が発生しても柔軟性を保持する故に永久変形が起こることなく元の形状に復原可能な合成樹脂製壜体を提供することである。
【００１０】
【課題を解決するための手段】
請求項１に記載の発明は、上記の課題を解決するもので、口栓部と筒状の胴体を備え、胴体にはパネル部を有する合成樹脂製壜体において、パネル部間の胴体部分に縦方向にはしる凸状または凹状の補強リブを有し、該補強リブはその一部が消失して不連続に形成されており、隣り合う胴体部分に設けられた補強リブの消失部は縦方向に対し異なる高さのところに位置していることを特徴とする合成樹脂製壜体を要旨とする。
【００１１】
本発明において、消失部の長さは、補強リブと消失部を合わせた長さの１／１０〜１／３である。消失部の長さが補強リブと消失部を合わせた長さの１／１０よりも短いと座屈に至ったとき元の形状への復原を可能とする柔軟に欠け、一方消失部の長さが補強リブと消失部を合わせた長さの１／３より大きくなるとパネル部間の胴体部分の剛性が低下し座屈強度が低くなる。パネル部間の胴体部分に適度の剛性と柔軟性を付与するのに望ましい消失部の長さの範囲は補強リブと消失部を合わせた長さの１／４〜１／８である。
【００１２】
請求項１に記載の発明によれば、容器への内容物の充填工程、容器の保管時等容器に負荷される垂直荷重に抗し、且つ座屈に至ったとして元の形状に復原可能な合成樹脂製壜体を提供することができる。
【００１３】
【発明の実施の形態】
図１は本発明の合成樹脂製壜体の側面図である。
【００１４】
本発明の合成樹脂製壜体は、ポリエチレンテレフタレート等の合成樹脂製二軸延伸吹込成形体であって、口栓部１と円筒状の胴体２を備え、胴体２にはパネル部３を有し、パネル部３間の胴体部分４に縦方向にはしる凸状または凹状の補強リブ５を有し、この補強リブ５はその一部が消失して不連続に形成されており、隣り合う胴体部分４に設けられた補強リブ５の消失部６ａ、６ｂは縦方向に対し異なる高さ位置に位置している。尚、図１に示すように補強リブ５の両端には円弧状リブ７を連設し、円弧状リブ７においても補強されるように構成してもよい。
【００１５】
消失部６ａ、６ｂの長さＬ２は、補強リブ５と消失部６ａまたは６ｂを合わせた長さＬ１の１／１０〜１／３である。消失部６ａ、６ｂの長さＬ２が補強リブ５と消失部６ａまたは６ｂを合わせた長さＬ１の１／１０よりも短いと座屈に至ったとき元の形状への復原を可能とする柔軟性に欠け、一方消失部６ａ、６ｂの長さＬ２が補強リブ５と消失部６ａまたは６ｂを合わせた長さＬ１の１／３より大きくなるとパネル部３間の胴体部分４の剛性が低下し座屈強度が低くなる。パネル部３間の胴体部分４に適度の剛性と柔軟性を付与するのに望ましい消失部６ａ、６ｂの長さＬ２の範囲は補強リブ５と消失部６ａまたは６ｂを合わせた長さＬ１の１／４〜１／８である。
【００１６】
補強リブ５はパネル部３間の胴体部分４に軸方向に対する剛性を付与し、それによって容器に高い座屈強度が付与される。また、容器内圧が減少してパネル部３が内方に弾性変形しても、パネル部３間の胴体部分４は内方に変形せず、壜体の形状を維持する。
【００１７】
また補強リブ５の消失部６ａ、６ｂは、容器に負荷された荷重が取り去られたときに容器が元の形状に復原する柔軟性を付与する。
【００１８】
次に実施例をあげて本発明につき説明する。
【００１９】
【実施例】
（実施例）
図１に示すように、口栓部１と円筒状の胴体２を備え、胴体２にはパネル部３を有し、パネル部３間の胴体部分４に縦方向にはしる凸状または凹状の補強リブ５を有し、この補強リブ５はその一部が消失して不連続に形成されており、隣り合う胴体部分４に設けられた補強リブ５の消失部６ａ、６ｂは縦方向に対し異なる高さ位置に位置しており、消失部６ａ、６ｂの長さＬ２は補強リブ５と消失部６ａ、６ｂを合わせた長さＬ１の１／８であるポリエチレンテレフタレート製二軸延伸吹込成形壜体を作製した。
【００２０】
この壜体に垂直荷重を負荷して、座屈荷重（容器に垂直荷重を負荷したとき、圧縮距離と圧縮強度の関係で変曲点が発生したときの垂直荷重の値）及び座屈永久変形強度（容器に垂直荷重を負荷して壜体を変形させた後、圧力の負荷を無くしても壜体が元の形状に復原しなくなる垂直荷重の値）を測定した。
【００２１】
その結果、座屈強度は３１０Ｎ、座屈永久変形強度は３６０Ｎであり、実施例の合成樹脂製壜体は剛性優れた座屈強度を有し、且つ座屈永久変形強度は高く、柔軟性に富むことがわかった。
【００２２】
（比較例１）
図２に示すような、図１に示す壜体と同様な形状を有し、但し補強リブを備えていない従来型の壜体を作製した。
【００２３】
この壜体に垂直荷重を負荷して、座屈荷重及び座屈永久変形強度を測定した。
【００２４】
その結果、座屈強度は２００Ｎ、座屈永久変形強度は２５０Ｎであり、座屈強度及び座屈永久変形強度の何れも実施例に比較して低いことがわかった。
【００２５】
（比較例２）
図３に示すように、図１に示す壜体と同様な形状を有し、但し消失部のない補強リブ３を備える壜体を作製した。
【００２６】
この壜体に垂直荷重を負荷して、座屈荷重及び座屈永久変形強度を測定した。
【００２７】
その結果、座屈強度は３２０Ｎ、座屈永久変形強度は３４０Ｎであり、比較例２の合成樹脂製壜体は実施例よりも優れた座屈強度を有するが、座屈永久変形強度は実施例よりも低く、柔軟性の点で実施例より劣ることがわかった。
【００２８】
【発明の効果】
以上詳細に説明したように、本発明の合成樹脂製壜体は、口栓部と筒状の胴体を備え、胴体にはパネル部を有する合成樹脂製壜体において、パネル部間の胴体部分に縦方向にはしる凸状または凹状の補強リブを有し、該補強リブはその一部が消失して不連続に形成されており、隣り合う胴体部分に設けられた補強リブの消失部は縦方向に対し異なる高さのところに位置していることを特徴とするものであり、容器への内容物の充填工程、容器の保管時等容器に負荷される垂直荷重に抗し、且つ座屈に至ったとして元の形状に復原可能であるという利点を有する。
【図面の簡単な説明】
【図１】本発明の合成樹脂製壜体の側面図である。
【図２】比較例１の合成樹脂製壜体の側面図である。
【図３】比較例２の合成樹脂製壜体の側面図である。
【符号の説明】
１          口栓部
２          胴体
３          パネル部
４          パネル部間の胴体部分
５          補強リブ
６ａ、６ｂ  消失部
７          円弧状リブ
【図１】
2005008155.tif 000003
【図２】
2005008155.tif 000004
【図３】
2005008155.tif 000005